(57)【要約】  クロックと、非接触生体測定センサと、プロセッサと、メモリと、スピーカとを含む動的目覚ましアラームが提供される。プロセッサは、クロックからの時間と生体測定センサからのデータとを含む少なくとも2つの目覚まし基準に基づく目覚まし規則を受信し、アラームを活性化するために基準が満たされているかどうかを評価するように構成されてもよい。
2019529909.tif 000002
【特許請求の範囲】
【請求項１】
クロックと、
心拍数、呼吸数、ユーザの存在、またはユーザの動きのうちの少なくとも1つを判定するための非接触生体測定センサと、
プロセッサと、
メモリと、
スピーカと
を備える動的目覚ましアラームであって、
前記プロセッサが、前記クロックからの時間と前記生体測定センサからのデータとを含む少なくとも2つの目覚まし基準に基づく目覚まし規則を受信し、
前記基準が満たされたかどうかを評価し、前記基準が満たされたと判定する前記評価に基づいてアラームを活性化するように構成され、
前記目覚まし規則が、前記時間基準によって指定された時間が経過した後にのみ前記生体測定センサデータに基づいて前記アラームが活性化されることを可能にする、
動的目覚ましアラーム。
【請求項２】
前記プロセッサが、前記非接触生体測定センサから前記ユーザの睡眠の状態を判定するようにさらに構成され、前記目覚まし基準が、前記ユーザが浅い睡眠の状態にあることを含む、請求項1に記載の動的目覚ましアラーム。
【請求項３】
ネットワークを介して目覚まし基準に関する情報を取り出すためのネットワーク通信ハードウェアをさらに備える、請求項1に記載の動的目覚ましアラーム。
【請求項４】
前記プロセッサが、前記目覚まし規則を評価し、前記目覚まし規則の基準が満たされたという判定に基づいてアラームの活性化を妨げるようにさらに構成される、請求項1に記載の動的目覚ましアラーム。
【請求項５】
前記プロセッサが、目覚めるためのデフォルトの時間フレームに関する情報を受信するようにさらに構成される、請求項1に記載の動的目覚ましアラーム。
【請求項６】
前記目覚まし規則が、評価のための追加の目覚まし基準およびアラームタイプのうちの少なくとも1つを含む、請求項1に記載の動的目覚ましアラーム。
【請求項７】
前記追加の目覚まし基準が、交通状況、天候状況、ホームオートメーション状況、カレンダエントリ、第2のユーザの生体測定指標、または現在の睡眠スコアを含む、請求項6に記載の動的目覚ましアラーム。
【請求項８】
前記アラームタイプが、機械的スイッチ、睡眠空間を空けること、または目覚めることのうちの少なくとも1つによって前記アラームが遮断され得ることを指定する、請求項6に記載の動的目覚ましアラーム。
【請求項９】
前記プロセッサが、少なくとも1つの目覚まし基準に基づく少なくとも1つのホームオートメーション規則を受信するように構成され、
前記プロセッサが、前記少なくとも1つのホームオートメーション規則を評価し、前記ホームオートメーション規則に関連する前記目覚まし基準が満たされたという判定に基づいて、少なくとも1つの家電製品を活性化するための信号を送信するようにさらに構成される、
請求項1に記載の動的目覚ましアラーム。
【請求項１０】
前記生体測定センサからの前記データが睡眠スコアを含む、請求項1に記載の動的目覚ましアラーム。
【請求項１１】
目覚ましアラームを提供するための方法であって、
時間と生体測定センサからのデータとを含む少なくとも2つの目覚まし基準に基づく目覚まし規則を受信するステップと、
前記目覚まし規則をアラームプロファイル内に記憶するステップと、
前記現在時間に関する情報を受信するステップと、
前記生体測定センサから前記目覚まし基準に関する情報を取り出すステップと、
前記前記目覚まし基準が満たされたかどうかを判定するステップと、
前記基準が満たされた場合、アラームを活性化するステップと
を含む、方法。
【請求項１２】
生体測定センサから前記目覚まし基準に関する情報を取り出す前記ステップが、前記非接触生体測定センサを読み取るステップと、心拍数、呼吸数、ユーザの存在、またはユーザの動きのうちの少なくとも1つを判定するステップとを含む、請求項11に記載の方法。
【請求項１３】
前記目覚まし規則が、交通状況、天候状況、ホームオートメーション状況、カレンダエントリ、または第2のユーザの生体測定指標を含む少なくとも第3の目覚まし基準に基づく、請求項11に記載の方法。
【請求項１４】
ネットワークを介して遠隔データベースから前記少なくとも第3の目覚まし基準に関する情報を取り出すステップをさらに含む、請求項13に記載の方法。
【請求項１５】
少なくとも1つの規則に関連する少なくとも1つのアラームタイプを受信するステップをさらに含む、請求項11に記載の方法。
【請求項１６】
少なくとも1つの目覚まし基準に基づく少なくとも1つのホームオートメーション規則を受信するステップと、
前記少なくとも1つのホームオートメーション規則に関連する前記目覚まし基準が満たされているかどうかを評価するステップと、
前記少なくとも1つのホームオートメーション規則に関連する前記目覚まし基準が満たされているという判定に基づいて少なくとも1つの家電製品を制御するための信号を送信するステップと
をさらに含む、請求項11に記載の方法。
【請求項１７】
生体測定センサからの前記データが睡眠スコアを含む、請求項11に記載の方法。
【請求項１８】
クロックと、
プロセッサと、
メモリと、
スピーカと
を備える目覚ましアラームシステムであって、
前記プロセッサが、時間と生体測定センサからのデータとを含む少なくとも2つの目覚まし基準に基づく少なくとも1つの目覚まし規則を受信するように構成され、
前記プロセッサが、前記目覚まし基準が満たされたかどうかを判定し、前記基準が満たされた場合、アラームを活性化するようにさらに構成される、
目覚ましアラームシステム。
【請求項１９】
心拍数、呼吸数、ユーザの存在、またはユーザの動きのうちの少なくとも1つを判定するための非接触生体測定センサをさらに備える、請求項18に記載の目覚ましアラームシステム。
【請求項２０】
前記少なくとも1つの目覚まし規則が、交通状況、天候状況、ホームオートメーション状況、カレンダエントリ、または第2のユーザの生体測定指標を含む少なくとも第3の目覚まし基準に基づく、請求項18に記載の目覚ましアラームシステム。
【請求項２１】
ネットワークを介して目覚まし基準に関する情報を取り出すためのネットワーク通信ハードウェアをさらに備える、請求項20に記載の目覚ましアラームシステム。
【請求項２２】
前記プロセッサが、少なくとも1つの目覚まし規則に関連するアラームタイプを受信するようにさらに構成される、請求項18に記載の目覚ましアラームシステム。
【請求項２３】
前記アラームタイプが、スヌーズ機能が無効にされること、またはスヌーズ機能が有効にされることを指定する、請求項22に記載の目覚ましアラームシステム。
【請求項２４】
前記アラームタイプが、前記アラームが機械的スイッチ、睡眠空間を空けること、または目覚めることのうちの少なくとも1つによって遮断され得ることを指定する、請求項22に記載の目覚ましアラームシステム。
【請求項２５】
前記プロセッサが、少なくとも1つの目覚まし基準に基づく少なくとも1つのホームオートメーション規則を受信するように構成され、
前記プロセッサが、前記少なくとも1つのホームオートメーション規則に関連する前記目覚まし基準が満たされているかどうかを評価し、前記少なくとも1つのホームオートメーション規則に関連する前記目覚まし基準が満たされているという判定に基づいて少なくとも1つの家電製品を制御するための信号を送信するようにさらに構成される、
請求項19に記載の目覚ましアラームシステム。
【請求項２６】
生体測定センサからの前記データが睡眠スコアを含む、請求項18に記載の目覚ましアラームシステム。
【発明の詳細な説明】
【技術分野】
【０００１】
関連出願の相互参照
本出願は、Sleep Quality Scoring and Improvementと題する米国特許出願第15/267,464号(代理人整理番号B2108-701419)、Sleep Assistance Deviceと題する米国特許出願第15/267,567号(代理人整理番号B2108-701619)、Sleep Systemと題する米国特許出願第15/267,848号(代理人整理番号B2108-701719)、User Interface for a Sleep Systemと題する米国特許出願第15/267,858号(代理人整理番号B2108-701819)、およびSleep Assessment Using a Home Sleep Systemと題する米国特許出願第15/267,886号(代理人整理番号B2108-701919)に関し、それらのすべては、2016年9月16日に出願されており、参照により本明細書に組み込まれる。
【０００２】
本開示は、ユーザが動的な目覚まし基準を設定し、それによって睡眠を最大にすることを可能にするやり方でユーザが睡眠から目覚めるのを助けるためのシステム、方法、および装置に関する。
【背景技術】
【０００３】
目覚ましアラームは、ユーザが時間通りに目覚めるのを助けるために様々な技法を使用する。しかしながら、目覚ましアラームは、典型的には、ユーザが目覚めたい時間をユーザが設定することのみを可能にし、変化する状況下で目覚まし時間が動的に変化することを可能にする目覚まし基準をユーザが設定することを可能にしない。したがって、ちょうどの時間の代わりにユーザによって事前設定された条件の達成に基づいてユーザを目覚めさせることができる目覚ましアラームに対する必要性が存在する。
【発明の概要】
【課題を解決するための手段】
【０００４】
本開示は、動的目覚ましアラームのためのシステム、方法、および装置に関する。
【０００５】
以下に説明するすべての例および特徴は、任意の技術的に可能なやり方で組み合わされ得る。
【０００６】
一例では、クロックと、心拍数、呼吸数、ユーザの存在、またはユーザの動きのうちの少なくとも1つを判定するための非接触生体測定センサと、プロセッサと、メモリと、スピーカとを含む動的目覚ましアラームが提供される。プロセッサは、クロックからの時間と生体測定センサからのデータとを含む少なくとも2つの目覚まし基準に基づく目覚まし規則を受信し、基準が満たされたかどうかを評価し、基準が満たされたと判定する評価に基づいてアラームを活性化するように構成されてもよい。目覚まし規則は、時間基準によって指定された時間が経過した後にのみ生体測定センサデータに基づいてアラームが活性化されることを可能にし得る。いくつかの例は、ネットワークを介して目覚まし基準に関する情報を取り出すためのネットワーク通信ハードウェアを含んでもよい。他の例では、プロセッサは、非接触生体測定センサからユーザの睡眠の状態を判定するようにさらに構成され、目覚まし基準は、ユーザが浅い睡眠の状態にあることを含む。プロセッサはまた、目覚まし規則を評価し、目覚まし規則の基準が満たされたという判定に基づいてアラームの活性化を妨げるように構成されてもよい。いくつかの実装形態では、プロセッサは、目覚めるためのデフォルトの時間フレームに関する情報を受信するように構成される。目覚まし規則はまた、評価のための追加の目覚まし基準およびアラームタイプのうちの少なくとも1つを含んでもよい。
【０００７】
動的目覚ましアラームのいくつかの例では、追加の目覚まし基準は、交通状況、天候状況、ホームオートメーション状況、カレンダエントリ、第2のユーザの生体測定指標、または睡眠スコアを含んでもよい。アラームタイプはまた、機械的スイッチ、睡眠空間を空けること、または目覚めることのうちの少なくとも1つによってアラームが遮断され得ることを指定してもよい。
【０００８】
動的目覚ましアラームのいくつかの実装形態では、プロセッサは、少なくとも1つの目覚まし基準に基づく少なくとも1つのホームオートメーション規則を受信するように構成されてもよく、プロセッサは、少なくとも1つのホームオートメーション規則を評価し、ホームオートメーション規則に関連する目覚まし基準が満たされたという判定に基づいて、少なくとも1つの家電製品を活性化するための信号を送信するように構成される。
【０００９】
時間と生体測定センサからのデータとを含む少なくとも2つの目覚まし基準に基づく目覚まし規則を受信するステップと、目覚まし規則をアラームプロファイル内に記憶するステップと、現在時間に関する情報を受信するステップと、生体測定センサから目覚まし基準に関する情報を取り出すステップと、前記目覚まし基準が満たされたかどうかを判定するステップと、基準が満たされた場合、アラームを活性化するステップとを含む、目覚ましアラームを提供するための方法も提供され得る。いくつかの例では、生体測定センサから目覚まし基準に関する情報を取り出すステップは、前記非接触生体測定センサを読み取るステップと、心拍数、呼吸数、ユーザの存在、またはユーザの動きのうちの少なくとも1つを判定するステップとを含む。いくつかの例では、生体測定センサからのデータは、睡眠スコアを含む。
【００１０】
方法のいくつかの例では、目覚まし規則は、交通状況、天候状況、ホームオートメーション状況、カレンダエントリ、または第2のユーザの生体測定指標を含む少なくとも第3の目覚まし基準に基づく。方法はまた、ネットワークを介して遠隔データベースから少なくとも第3の目覚まし基準に関する情報を取り出すステップを含んでもよい。他の例は、少なくとも1つの規則に関連する少なくとも1つのアラームタイプを受信するステップを含む。
【００１１】
方法のいくつかの実装形態はまた、少なくとも1つの目覚まし基準に基づく少なくとも1つのホームオートメーション規則を受信するステップと、少なくとも1つのホームオートメーション規則に関連する目覚まし基準が満たされているかどうかを評価するステップと、少なくとも1つのホームオートメーション規則に関連する目覚まし基準が満たされているという判定に基づいて少なくとも1つの家電製品を制御するための信号を送信するステップとを含んでもよい。
【００１２】
クロックと、プロセッサと、メモリと、スピーカとを含む目覚ましアラームシステムも提供される。プロセッサは、時間と生体測定センサからのデータとを含む少なくとも2つの目覚まし基準に基づく少なくとも1つの目覚まし規則を受信するように構成されてもよい。プロセッサは、目覚まし基準が満たされたかどうかを判定し、基準が満たされた場合、アラームを活性化するようにさらに構成されてもよい。いくつかの例では、生体測定センサからのデータは、睡眠スコアを含んでもよい。他の例では、目覚ましアラームシステムは、心拍数、呼吸数、ユーザの存在、またはユーザの動きのうちの少なくとも1つを判定するための非接触生体測定センサをさらに含んでもよい。少なくとも1つの目覚まし規則はまた、交通状況、天候状況、ホームオートメーション状況、カレンダエントリ、または第2のユーザの生体測定指標を含む少なくとも第3の目覚まし基準に基づいてもよい。いくつかの例示的なシステムは、ネットワークを介して目覚まし基準に関する情報を取り出すためのネットワーク通信ハードウェアも含む。
【００１３】
目覚ましアラームシステムのいくつかの実装形態では、プロセッサは、少なくとも1つの目覚まし規則に関連するアラームタイプを受信するようにさらに構成される。いくつかの例では、いくつかのアラームタイプは、スヌーズ機能が無効にされること、またはスヌーズ機能が有効にされることを指定してもよい。アラームタイプはまた、アラームが機械的スイッチ、睡眠空間を空けること、または目覚めることのうちの少なくとも1つによって遮断され得ることを指定してもよい。
【００１４】
目覚ましアラームシステムの他の実装形態では、プロセッサは、少なくとも1つの目覚まし基準に基づく少なくとも1つのホームオートメーション規則を受信するように構成されてもよい。そのような実装形態では、プロセッサは、前記少なくとも1つのホームオートメーション規則に関連する目覚まし基準が満たされているかどうかを評価し、少なくとも1つのホームオートメーション規則に関連する目覚まし基準が満たされているという判定に基づいて少なくとも1つの家電製品を制御するための信号を送信するように構成されてもよい。
【００１５】
動的目覚ましアラームの少なくとも1つの実装形態の様々な態様について、添付図面を参照して以下に論じる。図は、例示および説明の目的のために提供され、本開示の限定の定義として意図されない。
【図面の簡単な説明】
【００１６】
【図１Ａ】本開示の一例における矩形ハウジングを有する動的目覚ましアラームの正面斜視図である。
【図１Ｂ】本開示の一例における円筒形ハウジングを有する動的目覚ましアラームの正面斜視図である。
【図１Ｃ】本開示の一例における正方形ハウジングを有する動的目覚ましアラームの正面斜視図である。
【図２】本開示の一例における動的目覚ましアラームの構成要素の概略図である。
【図３】本開示の一例におけるアラームプログラムに関する潜在的な一連のステップを示すフローチャートである。
【図４】本開示の一例における目覚まし設定サブルーチンに関する潜在的な一連のステップを示すフローチャートである。
【発明を実施するための形態】
【００１７】
以下の説明は、本開示を例示的な実装形態に限定することを意図されていないことが理解されるべきである。それとは反対に、それは、記載された主題の趣旨および範囲内に含まれ得るように代替形態、修正形態、および等価物をカバーすることが意図されている。
【００１８】
図1A〜図1Cは、本開示の3つの例における動的目覚ましアラーム1の正面斜視図である。図示のように、動的目覚ましアラーム1は、ハウジング3と、ディスプレイスクリーン5と、スピーカ7と、動的目覚ましアラームに情報を入力するためのボタン8またはタッチスクリーン9とを含んでもよい。矩形形状(例えば、図1A)、細長い円筒形タワー(例えば、図1B)、または平坦な正方形形状(例えば、図1C)を含む、多種多様な形態が動的目覚ましアラームに利用されてもよい。しかしながら、当業者が認識するように、例えば、ナイトスタンドのような、睡眠中にユーザの近くに置かれるのに適している可能性がある任意の適切なフォームファクタが利用されてもよい。そのような例では、ハウジング3は、プラスチック、金属、木材、または複合材料を含む任意の硬質材料から適切な形状に形成されてもよい。
【００１９】
いくつかの例では、ディスプレイスクリーン5は、ユーザにとって関心がある可能性がある、動的目覚ましアラーム1によって収集された生体測定情報または睡眠情報を提供してもよい。そのような情報は、ユーザの存在、心拍数、心拍数変動、呼吸数、周囲温度、動き、いびき、または長期間にわたる睡眠状態に関する情報のような、睡眠期間中に観察されるユーザの生体に関する情報を含んでもよい。これは、直接情報または派生情報であってもよい。いくつかの例では、ディスプレイスクリーン5はまた、図1A〜図1Cに示すように時計を含んでもよい。
【００２０】
スピーカ7は、当業者にはよく知られ得るように、音を発生するための任意の適切なスピーカシステムを備えてもよい。いくつかの例では、スピーカ7は、全方向性音響体験を提供するために、音響偏向器と共に上向き発射ドライバを備えてもよい。そのような構成は、ユーザが眠っている間に、サウンドスケープまたはホワイトノイズのための、無指向性の部屋を満たす音を提供するのに役立つ場合がある。全方向性音システムは、鎮静的な音、自然な目覚め体験、および部屋全体での一貫した聴取体験を達成するのに特に役立つ場合がある。しかしながら、当業者が認識するように、部屋を満たす音を生成するために、スピーカ7のための任意の許容可能な音システムが用いられてもよい。
【００２１】
タッチスクリーン9またはボタン8は、タッチスクリーン9上の仮想ボタンがユーザによって押下されているときなどに、ユーザの指の存在を検出するため、および圧力を検出するための、ハウジング3の表面に結合された触覚センサを含む、動的目覚ましアラーム1に入力を送達するための任意の適切な手段を備えてもよい。オペレーティングシステムがユーザからの入力コマンドを受け付けることを可能にするために、当業者によく知られている方法で仮想ボタンがタッチパッド9上に表示されてもよい。このようにして、動的目覚ましアラーム1は、タッチパッド9を介してオプションと選択肢とをユーザに提示することができるプログラム可能なユーザインターフェースを提供することによって、様々な方法および様々な文脈で入力コマンドを受け付けるように構成されてもよい。他の例では、タッチスクリーン9は、固定された仮想ボタンの恒久的な表示を提示してもよく、またはユーザから入力を受信するための固定された物理的ボタン8を含んでもよい。
【００２２】
いくつかの例では、動的目覚ましアラーム1とリンクするため、動的目覚ましアラーム1からの情報を表示するため、入力を受け付けるため、および動的目覚ましアラーム1の機能を制御するために動的目覚ましアラーム1にそれらの入力を送達するために、ユーザのスマートフォンまたは他の外部コンピューティングデバイスが使用されてもよいので、ディスプレイスクリーン5およびタッチスクリーン9は、必要ではない場合があり、または機能が減らされる場合がある。そのような構成では、ディスプレイスクリーン5およびタッチスクリーン9は、もしあれば、時間、アラーム、および音楽選択のような典型的な枕元の時計関連の機能のみを表示および制御してもよく、または、単なる合計スコア値のような睡眠スコアの単純化された構成要素が表示されてもよい。
【００２３】
図2は、動的目覚ましアラームの例示的な概略図を提供し、その構成要素を示す。図示のように、動的目覚ましアラーム1は、プロセッサ15と、メモリ11と、相互接続12とを含む1つまたは複数のメインボード13を含んでもよい。メインボード13は、マイクロフォン10、ディスプレイスクリーン5、オーディオ増幅器6、スピーカ7、および、動的目覚ましアラームに情報を入力するためのボタン8またはタッチスクリーン9のような、いくつかの他の接続された構成要素の動作を制御する。通信ハードウェア17は、WiFi、Bluetooth（登録商標）、USB、マイクロUSB、または当業者に知られている任意の適切な有線もしくはワイヤレスの通信技術のような、動的目覚ましアラームと共に使用するのに適した任意の有線またはワイヤレスの通信手段を含んでもよい。メインボード13は、生体測定センサ19、ならびに、温度、湿度、周囲光、および空気質のような環境状況を検出するための任意の数の環境センサ18からの情報も受信する。メインボード13は、ユーザインターフェース14とのユーザの対話に基づく入力も受信し、入力は、マイクロフォン10によって検出された音声起動コマンド、ボタン8もしくはタッチスクリーン9から受信した様々なオーディオ、アラーム、および睡眠制御入力、またはユーザのスマートフォンもしくは他の外部コンピューティングデバイス上で実行されているコンパニオンアプリケーションから受信した入力を含んでもよい。通信ハードウェア17はまた、天気予報のような外部データ源との通信と、照明、サーモスタット、錠前、およびセンサ18のいずれかのようなものへのアクセスを提供するコネクテッドホームサービスとの通信とを提供してもよい。
【００２４】
マイクロフォン10は、当業者に知られているように、ユーザの寝室または睡眠空間内の音を検出およびサンプリングするための任意の適切なマイクロフォンであってもよい。いくつかの例では、マイクロフォン10は、動的目覚ましアラーム1によって生成された音と、ユーザの寝室または睡眠空間内で外部から生成された音とを区別するのに適したアレイ型マイクロフォンであってもよい。マイクロフォン10がアレイ型マイクロフォンを備える例では、それは、動的目覚ましアラーム1の周りに分散された、複数の全方向性マイクロフォン、指向性マイクロフォン、またはそれらの任意の混合物を備えてもよい。マイクロフォン10は、以下で論じるように、動的目覚ましアラーム1によって生成された音と室内の他の音とを区別し、音マスキングサブルーチン27と共に使用するための任意の外部ノイズを分析するために、当業者によく知られている方法で各々の個々のマイクロフォンからの信号を同時に処理するためのプロセッサ15に結合されてもよい。マイクロフォン10は、例えば、分析されるべき音に向かう特定の方向における指向性を達成するために、ビームフォーミングまたは他の技法を用いてもよい。マイクロフォン10は、ユーザの睡眠を監視するためと、発せられたユーザインターフェースコマンドを受信するための両方のために用いられてもよい。
【００２５】
生体測定センサ19は、数ある生体指標の中でも、ベッドの存在、呼吸数、心拍数、心拍数変動、または睡眠状態を含む、近くのユーザに関する情報を遠隔で検出する。いくつかの例では、生体測定センサ19は、経時的なユーザの様々な生命徴候の状態を決定するためにRF信号をユーザの方に向け、後方散乱信号の強度を測定し、後方散乱信号を分析するためのRFセンサを使用してもよい非接触生体測定センサであってもよい。他の非接触生体測定技法は、ユーザの心拍数および血圧によって引き起こされるわずかな皮膚のたわみを測定するためのレーザ、または、心拍および血圧によって引き起こされる皮膚のたわみがカメラを通して経時的に観察および分析され得る画像ベースの監視システムを含んでもよい。生体測定センサ19は、検出された生体測定情報をメモリ11内に記憶するためにプロセッサ15に報告し、本明細書で説明する様々なサブルーチンを使用して分析されるように構成されてもよい。
【００２６】
他の例では、動的目覚ましアラーム1はまた、当業者に知られているように直接生体測定センサを用いてもよい。直接生体測定センサは、数ある中で、動き、呼吸、心拍数、血圧、温度のような生体測定情報を機械的に検出するために、ユーザの身体の上もしくは下、またはユーザのマットレスもしくはシーツの中に配置され得るプローブまたは接触パッドを含んでもよい。そのようなセンサは、加速度計、他の運動センサ、または圧電センサもしくは他の振動センサのような機械的センサを含んでもよい。プローブによって検出された生体測定情報は、次いで、当業者に知られている方法で有線またはワイヤレス接続を使用して動的目覚ましアラーム1に通信されてもよい。いくつかの例では、生体測定センサは、ユーザによって装着されるイヤホン内に配置されてもよい。他の実装形態は、非接触生体測定センサと直接生体測定センサの両方を組み合わせてもよい。寝具のような介在媒体を介して身体を測定する機械的センサは、「非接触」生体測定センサの範疇に含まれる。
【００２７】
ここで図3を参照すると、いくつかの例では、プロセッサ15は、動的アラームを設定および使用する際にユーザを助けるための一連のステップまたはサブルーチンを含んでもよいアラームプログラム21を開始してもよい。第1のステップにおいて、動的目覚ましアラーム1が起動されてもよく、アラームプログラム21がプロセッサ15によって初期化される(図3中のボックス301)。起動手順の間、プロセッサ15は、ユーザメモリ11内に記憶されたユーザからの目覚まし規則31をすでに有するかどうかをチェックする。有していない場合、プロセッサ15は、目覚まし設定サブルーチン23を初期化してもよい。しかしながら、目覚まし規則がプロセッサ15によって以前に受信されている場合、アラームプログラム21は、目覚まし設定サブルーチン23を初期化することなくステップ3に進んでもよい。
【００２８】
第2のステップにおいて、プロセッサ15は、目覚まし設定サブルーチン23を初期化し、ユーザの目覚まし設定に関する情報をロードしてもよい(ボックス302および302A)。第1回目の設定について、これは、ユーザとの対話を含んでもよいが、一般には、必要な任意の設定がメモリまたは他のソースからロードされる。以下で図4に関してより詳細に説明するように、目覚まし設定サブルーチン23の間、プロセッサ15は、時間基準、生体測定基準、交通基準、天候基準、またはアラームをトリガするための任意の他の基準を含む、アラームをトリガするための様々な目覚まし基準33に基づいて、ユーザからの目覚まし規則31を求めてもよい。例えば、いくつかの実装形態では、目覚まし基準は、最も早い許容可能な目覚まし時間25と最も遅い許容可能な目覚まし時間27とを含んでもよい。
【００２９】
目覚まし基準33はまた、動的目覚ましアラーム1によって観察または取り出され得る任意の情報を含んでもよい。例えば、目覚まし基準33は、生体測定センサ19からプロセッサ15によって受信された情報に基づいて観察または決定される生体測定要因を含んでもよい。目覚まし基準33はまた、外部デバイスまたはデータベースから取り出され得る情報を含んでもよい。例えば、目覚まし基準33は、交通状況、天候状況、ホームオートメーション状況、ユーザのカレンダから取り出された情報、または家庭内の他の動的目覚ましアラームから受信された情報(例えば、家族の睡眠状態に関する情報)を含んでもよい。目覚まし基準はまた、睡眠スコア目覚まし基準を含んでもよく、睡眠スコア目覚まし基準は、ユーザが、ユーザの睡眠セッションにおける任意の所与の時点において睡眠スコアリングプロセスを通して決定されるようなユーザの睡眠の全体的な質に基づいてアラームを設定することを可能にし得る。
【００３０】
プロセッサ15はまた、グラフィカルユーザインターフェースを介して、またはドロップダウンメニューもしくは当業者には知られている論理規則を生成するための任意の他の方法を介して利用可能な様々な基準に基づく目覚まし規則31を受信してもよい。以下で図4に関してさらに説明するように、目覚まし規則31は、目覚まし基準33の任意の組み合わせに基づいてもよく、様々な条件下で目覚ましアラームを鳴らすための規則を定義してもよい。プロセッサ15はまた、アラームが所与の規則に対して遮断される状況を指定し得る、所与の目覚まし規則に関連するアラームタイプを受信してもよい。例えば、目覚まし規則をトリガする目覚まし基準に基づいて、ユーザがユーザの睡眠空間を物理的に空けるまでアラームを鳴らす必要があってもよい。他の例では、特定のタイプのアラーム規則31についてスヌーズ機能を不活性化する必要があってもよい。
【００３１】
ステップ3において、プロセッサ15はまた、ホームオートメーション規則サブルーチン39を介してホームオートメーション規則37をロードしてもよい(ボックス303および303A)。従来のアラーム時計では、設定された目覚ましタイムフレームに基づいて実行を開始するようにコーヒーメーカのような家庭内の器具を設定することが以前は可能であった。しかしながら、本開示の動的目覚ましアラームでは、家庭内の器具は、生体測定センサ19によって決定されるようなユーザの実際の目覚まし時間に基づいて制御されてもよい。
【００３２】
ホームオートメーションサブルーチン39は、ユーザの実際の目覚まし時間、または目覚まし規則31が目覚まし時間を予測することができるときはその多少前の時間に基づいて規則を活性化してもよい。ホームオートメーション規則37はまた、この文脈ではホームオートメーション基準41と呼ばれる場合もある目覚まし規則31のために利用可能な同じ基準に基づいて、ユーザの実際の目覚まし時間から独立してもよい。目覚まし基準33に関して上記で説明したように、ホームオートメーション基準41は、生体測定センサ19から受信した任意の情報、交通情報もしくは天候情報、ユーザのカレンダ、または家中の他の動的目覚ましアラームを含んでもよい。一例では、プロセッサ15は、ホームオートメーション規則サブルーチン39を介して、ユーザが目覚めるとすぐに、またはユーザが目覚めると予測される多少前の時間にコーヒーメーカを始動させるためのホームオートメーション規則を受信してもよいので、コーヒーが準備できていることになる。同様に、プロセッサ15は、朝のジョギングのための時間をユーザに与えるために、ユーザが目覚めてから30分後にシャワーのための水を予熱するためのホームオートメーション規則を受信してもよい。他のホームオートメーション規則は、ユーザの目覚めに関連する照明の点灯および温度の上昇のようなことを行ってもよい。上記で説明したように、目覚まし規則31と同様に、ホームオートメーション規則37を作成するためにホームオートメーション基準41の任意の組み合わせが用いられてもよい。したがって、動的目覚ましアラーム1によって確認可能な情報に基づいて、とりわけ、家電製品の動作、サーモスタットの設定、電力設定、照明、または電子ブラインドのような、任意の数のホームオートメーションタスクが制御されてもよい。一旦定義されると、ホームオートメーション規則37はまた、アラームプロファイル29内に記憶されてもよい。
【００３３】
第4のステップにおいて、プロセッサ15は、目覚まし基準33にどのように応答するのかを決定する目覚まし規則31およびホームオートメーション規則37をロードする(ボックス304)。プロセッサ15はまた、ユーザが眠り始めたかどうかを監視し始める。そうするために、プロセッサ15は、ユーザが眠りに落ちたときを判定するためにユーザの生体測定を監視する。睡眠状態がどのように決定され得るか(および、同じシステムがそれをどのように誘発し、維持させ得るか)の完全な説明は、Sleep Quality Scoring and Improvementと題する米国特許出願第15/267,464号(代理人整理番号B2108-701419)、Sleep Assistance Deviceと題する米国特許出願第15/267,567号(代理人整理番号B2108-701619)、Sleep Systemと題する米国特許出願第15/267,848号(代理人整理番号B2108-701719)、User Interface for a Sleep Systemと題する米国特許出願第15/267,858号(代理人整理番号B2108-701819)、およびSleep Assessment Using a Home Sleep Systemと題する米国特許出願第15/267,886号(代理人整理番号B2108-701919)に見られ、これらのすべては、2016年9月16日に出願され、参照により本明細書に組み込まれる。睡眠が検出されると、プロセッサ15は、睡眠スコアリングのような後のプロセスで使用するため、および経過した睡眠時間を潜在的な目覚まし基準33として評価するために、睡眠開始の時間を記録してもよい(ボックス304A)。
【００３４】
第5のステップにおいて、プロセッサ15は、規則エンジン43を起動する(ボックス305)。規則エンジン43を実行している間、プロセッサ15は、アラームプロファイル29内に記憶された各目覚まし規則31を評価するために必要な目覚まし基準33を評価する。プロセッサ15は、生体測定センサ19、または、例えば、ホームオートメーションシステムリソース、交通リソース、天候リソース、またはカレンダリソースを含む任意の適用可能な外部ソースから、任意の必要な情報を定期的に取り出す。受信されると、すべての関連情報は、プロセッサ15による継続的な分析のために記憶されてもよい。アラーム記録35は、睡眠セッション中にアラーム規則31に関連する情報を記憶および取り出すための、ならびに、所与の目覚まし規則の目覚まし基準が満たされたかどうかを評価するためのデータベースとして実装されてもよい。プロセッサ15は、次いで、各ユーザ定義の目覚まし規則またはホームオートメーション規則の条件が繰り返して満たされたかどうかを評価することに進む。取り出された情報および現在時間(関連する場合)に基づく規則の条件が満たされると、アラームプログラム21は、適用可能な目覚まし規則31において指定されたアラームタイプを開始するか、または適用可能なホームオートメーション規則37において指定された器具を制御するための信号を送信する。
【００３５】
第6のステップにおいて、プロセッサ15は、ユーザがトリガされたアラームの任意の要件に応じたかどうかを判定する(ボックス306)。例えば、指定されたアラームタイプが単にユーザを目覚めさせることを要求する場合、アラームプロセッサ15は、生体測定センサ19からの読み取り値に基づいて、ユーザがそれを行ったかどうかを判定する。もしそうであれば、プロセッサ15は、アラームを終了する。同様に、指定されたアラームタイプが、ユーザが実際にベッドまたは睡眠空間を空けることを要求する場合、プロセッサ15は、再び生体測定センサ19からの読み取り値に基づいて、ユーザがそれを行ったかどうかを判定する。指定されたアラームタイプが、例えば、動的目覚ましアラーム1におけるボタンを押すことによる機械的遮断を要求する場合、プロセッサ15は、ボタン8からの読み取り値または外部コンピューティングデバイスから受信した信号に基づいて、ユーザが要求された動作を実行したかどうかを判定する。トリガされたアラームの要件が満たされると、プロセッサ15は、ユーザが別の睡眠セッションのための睡眠空間に戻ることが検出されるまで、アラームプログラム21を終了する。いくつかの例では、遮断のための異なる基準を用いて、2つ以上のアラーム規則がトリガされてもよい。例えば、第1の規則は、ユーザが目覚めることを単に要求してもよく、第2の規則は、ユーザが実際にベッドから出ることを要求する。2つの規則が同時にアラームをトリガする場合、それらの遮断基準のすべてが必要とされてもよく、または、1つのタイプの基準が優先されてもよい。他の例では、1つの規則の遮断基準に従うことは、ユーザがそのアラームの遮断基準にも従わなかった場合にのみ数分後に第2のアラームが鳴るように、アラームを一時的に無効にしてもよい。
【００３６】
図4は、本開示の一例における目覚まし設定サブルーチンに関する潜在的な一連のステップを示すフローチャートである。ステップ2Aにおいて、プロセッサ15は、アラーム設定に関してユーザからの情報を求めるために、目覚まし設定サブルーチン23を初期化する(図4中のボックス401)。ステップ2Bにおいて、プロセッサ15は、ユーザが通常の状況下で目覚めることを望む時間フレームまたはウィンドウを確立する最も早い許容可能な目覚まし時間25および最も遅い許容可能な目覚まし時間27のような時間ベースの目覚まし基準33に基づく目覚まし規則31を受信してもよい(ボックス402)。週の異なる日に対して、または年の異なる時期の間、異なる時間が決定されてもよい。決定されると、最も早い許容可能な目覚まし時間25および最も遅い許容可能な目覚まし時間27は、プロセッサ15によってアラームプロファイル29内に記憶される。いくつかの例では、時間は、既存のプロファイル29から単純にロードされ、目覚まし設定サブルーチン23は、設定が変更されたというなんらかの指示がある場合にのみ活性化される。目覚まし時間25および27は、適切なユーザインターフェースを介していつでもユーザによって更新されてもよい。
【００３７】
ステップ2Cにおいて、プロセッサ15は、生体測定センサ19から決定されるようなユーザ自体の生体測定読み取り値のような生体測定目覚まし基準に基づく目覚まし規則31を受信してもよい(ボックス403)。例えば、プロセッサ15は、生体測定センサ19によって提供される読み取り値に基づいて、ユーザがベッド内にいるかどうかを連続的に判定してもよい。ユーザの存在が検出されると、プロセッサ15は、ユーザが眠りに落ちたときを判定するために、連続的にユーザの生体測定を能動的に監視し始める。そうするために、プロセッサ15は、生体測定センサ19からの信号を読み取り、心拍数、呼吸、心拍数の変動性、身体の動き、または、当業者に知られている睡眠の任意の他の生体測定指標において測定可能な変化があったかどうかを判定する。睡眠が検出されると、プロセッサ15は、睡眠開始の時刻をアラーム記録35内に記録してもよい。
【００３８】
ユーザが眠りに落ちると、プロセッサ15は、睡眠セッションを通して現在の睡眠状態を能動的に監視し始める。現在の睡眠状態は、睡眠セッションを通して測定される、睡眠に関連する生体測定的変数および環境的変数の任意の組み合わせを含んでもよい。経時的にユーザの睡眠の全体的な質を追跡するための任意の関連する変数を記録するために、ユーザの生体測定が連続的に生体測定センサ19によって監視される。例えば、ユーザの睡眠の質に影響を及ぼす、またはそれを示す変数は、ユーザの心拍数、呼吸数、身体の動き、体温、血圧、睡眠状態(例えば、REM睡眠、NREM睡眠、深い睡眠、または浅い睡眠)を含む。監視された生体測定のすべては、メモリ11内に記録され、Sleep Quality Scoring and Improvementと題する米国特許出願第15/267,464号(代理人整理番号B2108-701419)(上記で参照により組み込まれている)に記載の方法で全体的な睡眠スコアを決定するために使用されてもよい。睡眠スコアは、睡眠セッション中の睡眠の質を示すので、次に、目覚まし規則のための目覚まし基準として使用されてもよい。
【００３９】
アラーム記録35内に記録された生体測定情報、またはその情報から導出された睡眠スコアのいずれも、目覚まし規則31のための有用な目覚まし基準33として役立ち得る。例えば、システムは、ユーザが最も早い許容可能な目覚まし時間25の後、目覚めに適した浅い睡眠状態に入るとすぐに目覚めさせられるべきであることを示す目覚まし規則にデフォルト設定してもよい。規則は、ユーザが、例えば、少なくとも85の睡眠スコアを達成した場合、浅い睡眠状態の最初の発生時にのみアラームが鳴るべきであることをさらに示してもよい。ユーザがよく眠れなかった場合、目覚ましが遅延されるべきである。ユーザは、目覚まし規則31を修正してもよく、またはそれに追加の制限をかけてもよく、最も遅い許容可能な目覚まし時間27の前にアラームがトリガされる前に一緒に考慮され得る目覚まし基準33の数に制限はない。いくつかの実装形態では、生体測定的目覚まし刺激は、限定はしないが、睡眠の質、睡眠スコア、睡眠持続時間、REM持続時間、深い睡眠の持続時間、ベッド内の存在、現在の睡眠状態、眠っている間の総心拍数、眠っている間の総呼吸数、または、当業者に知られている任意の他の観察可能もしくは取り出し可能な生体測定基準を含んでもよい。
【００４０】
ステップ2Dにおいて、プロセッサ15は、天候ベースの目覚まし基準33に基づく目覚まし規則31を受信してもよい(ボックス404)。例えば、ネットワーク接続を使用して、プロセッサ15は、ユーザの地域における現在の天候状況を取り出すために天候データベースおよびリソースにアクセスしてもよい。取り出されると、これらの天候状況は、上記で論じたように、生体測定情報と同様に有用な目覚まし規則33として役立つ。例えば、気温が少なくとも70度であり、天気予報が「部分的に曇り」または「晴天」の空と言っているときはいつも、ユーザは、早く目覚めることを望む場合がある。そのような天候ベースの基準はまた、上記で論じたようなユーザの睡眠スコアのような生体測定基準と組み合わされてもよい。
【００４１】
当業者が認識するように、限定はしないが、天気予報、気温、現在の降水量の合計、気象警報、湿度、および気圧を含む任意の天候ベースの基準が目覚まし基準33として使用されてもよい。天候はまた、例えば、ユーザの授業や仕事の義務をキャンセルする可能性がある悪天候が予測される状況において有用な目覚まし基準として役立ち得る。そのような場合、アラームが目覚まし規則において違ったふうに鳴るのを防ぐために、天候ベースの基準が使用されてもよい。天候基準がアラームを進ませるために使用されるのと同じように、天候基準はまた、アラームを遅らせるために使用されてもよく、例えば、よい天候を利用するために早く目覚めることと対照的に、睡眠スコアが低く天候が悪い場合、最も遅い目覚まし時間に近づくまでユーザを眠らせる。
【００４２】
ステップ2Eにおいて、プロセッサ15は、カレンダベースの目覚まし基準33に基づく目覚まし規則31を受信してもよい(ボックス405)。例えば、ユーザのカレンダからの情報が、目覚まし規則における目覚まし基準33としてプロセッサ15によって受信されてもよい。例えば、例えば、ユーザの勤務カレンダにおける最初のイベントの時間は、ユーザが早い会議の前にユーザの職場に到着することを確実にするために、最も遅い許容可能な目覚まし時間27を設定するために、移動時間と組み合わせて使用されてもよい。目覚まし設定サブルーチン23は、準備し、目的地に到着するのに十分な時間にユーザのアラームを動的に設定するために、目的地、出発点、到着時間、および任意の所望のバッファ時間に関する情報にアクセスしてもよい。そのような規則は、ユーザがその特定のイベントのためのアラームを作成するのを怠った場合であっても、ユーザが早朝の会議を欠席する危険性がある場合、ユーザがアラームを常に受け取ることを確実にするために、最も遅い目覚まし時間を設定するのを助ける場合がある。
【００４３】
ステップ2Fにおいて、プロセッサ15は、交通ベースの目覚まし基準33に基づく目覚まし規則31を受信してもよい(ボックス406)。例えば、ユーザの通勤または計画された旅行を目覚まし規則31の考慮に入れることをさらに改善するために、交通報告リソースから取り出された情報が目覚まし基準33としてプロセッサ15によって受信されてもよい。例えば、プロセッサ15は、ユーザの通常の通勤に沿った現在の交通状況を考慮すると、時間通りに職場に到着するためにユーザが目覚める必要があるとすぐに目覚ましアラームをトリガする交通ベースの目覚まし基準を使用する規則を受信してもよい。そのような交通ベースの目覚まし規則はまた、ユーザが任意のスケジュールされた会議のために時間通りに職場に到着することを確実にするために、カレンダベースの基準と組み合わされ得る。
【００４４】
当業者が認識するように、限定はしないが、交通時間推定値、交通警告、ルートに沿った事故の指示、およびルートに沿った計画された建設工事の指示を含む任意の交通ベースの情報が目覚まし刺激33として使用されてもよい。さらに、本開示は、自動車交通状況に基づく目覚まし基準33に限定されない。例えば、公共交通機関の時刻表およびフライト遅延情報を含む任意の利用可能な情報が使用されてもよい。
【００４５】
ステップ2Gにおいて、プロセッサ15は、他の動的目覚ましアラームまたは生体測定センサから受信した情報に基づく目覚まし規則31を受信してもよい(ボックス407)。例えば、家庭内の第2の動的目覚ましアラーム1から受信した情報は、別のユーザが支援を必要とする可能性があることを示す別のユーザの生体測定情報を第2のデバイスが検出した場合、プロセッサ15にアラームを鳴らさせてもよい。第2のユーザが、熱があると検出された、予期せずに目覚めた、または任意の他の健康もしくは睡眠の異常があると検出されたときに鳴ることを意図した目覚まし規則31がプロセッサ15によって受信されてもよい。例えば、子供が、100度を超える熱があると検出されたときはいつも、または、子供が指定された時間フレームの間に目覚めていると検出された場合、目覚まし規則31がトリガされ得る。主要なユーザの生体測定情報と同様に、第2のユーザに関する上記で列挙したもののような任意の検出可能な生体測定情報が、第2の動的目覚ましアラーム1によって主要なユーザの動的目覚ましアラームに報告されてもよい。独立型生体測定監視機器が、同様に、第2のユーザに関する情報を第1のユーザの動的目覚ましアラームに提供してもよい。
【００４６】
ステップ2Hにおいて、プロセッサ15は、ホームオートメーションシステムから受信した情報に基づく目覚まし規則31を受信してもよい(ボックス408)。例えば、家庭内機器の状態または家庭内の読み取り値に関する情報が、家庭内の主要な機器の故障の場合に目覚まし規則31を活性化してもよい。他の例では、家庭内の温度が所定の温度よりも低下するか、またはそれよりも上昇する場合にトリガされる目覚まし規則がプロセッサ15によって受信されてもよく、それは、家庭用暖房機器の故障を示す可能性がある。
【００４７】
ステップ2B〜2Hの各々において、プロセッサ15はまた、目覚まし規則31の一部としてアラームタイプの選択を受信してもよい。例えば、目覚まし規則31の目的および文脈を考慮すると、例えば、ユーザの子供の状態に基づいてアラームがトリガされた場合、ユーザがすぐにベッドから目覚め、スヌーズボタンを押すことを許されないことが重要であり得る。そのような場合、アラームプロファイル29における設定は、任意の所与の目覚まし規則31に対して異なるアラームタイプを指定してもよい。ちょうど述べたように、アラームタイプは、スヌーズボタンを無効にしてもよい。他のアラームタイプは、生体測定センサ19から受信した信号に基づいて、ユーザがユーザのベッドまたは睡眠空間を物理的に空けたと判定されるまで、持続的なアラームを提供してもよい。他の文脈では、アラームに関連する特定の目覚まし規則31の文脈に基づいて、スヌーズ機能を組み込んだより従来的なアラームタイプが許容可能である場合がある。
【００４８】
いくつかの実装形態では、動的目覚ましアラーム1は、ユーザの意識を睡眠から覚醒まで徐々に上げるために、最終的な目覚ましアラームに先立って穏やかな目覚ましモードを提供する。穏やかな目覚ましモードは、Sleep Assistance Deviceと題する米国特許出願第15/267,567号(代理人整理番号B2108-701619)(上記で参照により組み込まれている)において完全に記載されている。したがって、アラームタイプは、任意の所与の目覚まし規則31に対して穏やかな目覚まし機能を有効にするかどうかを指定してもよい。しかしながら、特定の規則によって用いられる目覚まし基準33に基づいて、規則がアラームを活性化し得るという予めの警告の欠如のために、穏やかな目覚ましモードは、利用不可能である場合がある。そのような例では、設定は、用いられている目覚まし基準のタイプのために穏やかな目覚ましモードがその特定の規則に対して利用不可能であることを示してもよく、またはこれは、状況によって判定されてもよい。いくつかの例では、穏やかな目覚ましモードは、好ましく、最終目覚まし時間に先立って任意の緊急ではない理由のために目覚まし規則がトリガされたときはいつでも使用される。
【００４９】
したがって、前述の開示は、時刻だけでなく、動的目覚ましアラームによって観察可能または取り出し可能な動的情報に基づく目覚まし規則31に基づいてアラームをトリガする動的目覚ましアラームを提供する。これらの動的目覚まし基準は、生体測定情報、天候情報、交通情報、ホームオートメーション情報、および主要なユーザの家の中の他のユーザに関する生体測定情報のような情報を含む。指定された目覚まし規則の文脈に基づいて、ユーザはまた、継続的にシステムによって観察された情報に基づいて、自動的に動的目覚ましアラーム1によってトリガされるべき適切なアラームタイプを選択してもよい。
【００５０】
当業者は、上記で概説したシステム、方法、および装置が、ソフトウェアプログラムを実行するため、ならびに、例えば、生体測定センサ、環境センサ、ユーザインターフェース、コンピュータネットワーク、音システム、および任意の他の内部デバイスまたは外部デバイスを含む任意のデバイスと通信し、それらを動作するための、当業者によく知られている様々なハードウェアおよびオペレーティングソフトウェアを含んでもよいことを認識するであろう。そのようなコンピュータ化されたシステムはまた、メモリおよび記憶媒体と、本開示の動作を実行するために使用され得る他の内部構成要素および外部構成要素とを含んでもよい。さらに、そのようなコンピュータシステムは、コンピュータシステムの動作を処理および制御し、したがって、本開示のプロセスを実施するための1つまたは複数のプロセッサを含んでもよい。その目的のため、プロセッサ、関連するハードウェア、および通信システムは、本明細書に提示された様々な例を実行してもよい。
【００５１】
開示された主題は、本明細書では特定の例示的な実装形態に関して説明されているが、当業者は、開示された主題に対してその範囲から逸脱することなく様々な修正および改良がなされ得ることを認識するであろう。そのように、以下で特許請求され、上記で開示された特定の特徴は、開示された主題が任意の他の可能な置換および組み合わせを有する他の実装形態にも具体的に向けられるように認識されるべきであるように、開示された主題の範囲内で他の方法で互いに組み合わされ得る。開示された主題の趣旨または範囲から逸脱することなく、開示された主題のシステムおよび方法において様々な修正および変形がなされ得ることが当業者には明らかであろう。したがって、開示された主題は、添付の特許請求の範囲およびそれらの均等物の範囲内にある修正形態および変形形態を含むことが意図される。
【符号の説明】
【００５２】
1  動的目覚ましアラーム
3  ハウジング
5  ディスプレイスクリーン
6  オーディオ増幅器
7  スピーカ
8  ボタン、物理的ボタン
9  タッチスクリーン、タッチパッド
10  マイクロフォン
11  メモリ、ユーザメモリ
12  相互接続
13  メインボード
14  ユーザインターフェース
15  プロセッサ、アラームプロセッサ
17  通信ハードウェア
18  環境センサ、センサ
19  生体測定センサ
21  アラームプログラム
23  目覚まし設定サブルーチン
25  最も早い許容可能な目覚まし時間、目覚まし時間
27  最も遅い許容可能な目覚まし時間、目覚まし時間
29  アラームプロファイル、プロファイル
31  目覚まし規則
33  目覚まし基準、目覚まし刺激
35  アラーム記録
37  ホームオートメーション規則
39  ホームオートメーション規則サブルーチン
41  ホームオートメーション基準
43  規則エンジン
【図１Ａ】
2019529909.tif 000003
【図１Ｂ】
2019529909.tif 000004
【図１Ｃ】
2019529909.tif 000005
【図２】
2019529909.tif 000006
【図３】
2019529909.tif 000007
【図４】
2019529909.tif 000008
【国際調査報告】
2019529909.tif 000009
2019529909.tif 000010